(57)【要約】【課題】本発明は、実用性に秀れた屋根の葺板引き剥がし具を提供することを目的とする。【解決手段】屋根51の葺板52に設けられる被挟持部52ａを挟持する挟持部１に、該挟持部１を操作する操作ハンドル部２が取り付けられた屋根の葺板引き剥がし具であって、前記挟持部１には支点部５が設けられて、この支点部５を支点に前記操作ハンドル部２を回動操作し得るように構成されると共に、前記挟持部１で前記被挟持部52ａを挟持したまま前記操作ハンドル部２を回動操作すると、前記支点部５を支点としたテコ作用により前記挟持部１が起動し、前記被挟持部52ａから前記葺板52が屋根下地材51ａに対して引き剥がされるように構成されたものである。【選択図】図１
2018035586.tif 000002
【特許請求の範囲】
【請求項１】
屋根の葺板に設けられる被挟持部を挟持する挟持部に、該挟持部を操作する操作ハンドル部が取り付けられた屋根の葺板引き剥がし具であって、前記挟持部には支点部が設けられて、この支点部を支点に前記操作ハンドル部を回動操作し得るように構成されると共に、前記挟持部で前記被挟持部を挟持したまま前記操作ハンドル部を回動操作すると、前記支点部を支点としたテコ作用により前記挟持部が起動し、前記被挟持部から前記葺板が屋根下地材に対して引き剥がされるように構成されており、前記操作ハンドル部は、回動操作方向における前記挟持部に対する取付角度が可変可能に設けられて、前記被挟持部を挟持させた前記挟持部の起動前における、前記屋根に対して棟側へ所定角度に倒れた一の状態と、その他の状態とが切り替え可能に構成されていることを特徴とする屋根の葺板引き剥がし具。
【請求項２】
前記操作ハンドル部は、前記被挟持部を挟持させた前記挟持部の起動前における、前記屋根に対して棟側へ所定角度に倒伏した倒伏状態と、該倒伏状態から軒先側への回動操作方向に起立した起立状態とが切り替え可能に構成されていることを特徴とする請求項１記載の屋根の葺板引き剥がし具。
【請求項３】
前記被挟持部を挟持させた前記挟持部の起動前における前記操作ハンドル部の倒伏状態は、前記屋根の面方向と直交し且つ前記被挟持部を挟持させた前記挟持部の挟持作用点を通過する直交線よりも棟側に傾いた倒伏状態であり、前記被挟持部を挟持させた前記挟持部の起動前における前記操作ハンドル部の起立状態は、前記屋根の面方向と直交し且つ前記被挟持部を挟持させた前記挟持部の挟持作用点を通過する直交線よりも軒先側に傾いた起立状態であることを特徴とする請求項２記載の屋根の葺板引き剥がし具。
【請求項４】
前記操作ハンドル部は、前記挟持部に擺動自在に設けられ、前記挟持部に対する所定の回動位置にて前記操作ハンドル部が回動阻止される回動固定部が前記挟持部に設けられて、回動操作方向における前記挟持部に対する取付角度が可変可能に設けられていることを特徴とする請求項１〜３のいずれか１項に記載の屋根の葺板引き剥がし具。
【請求項５】
前記被挟持部は前記葺板を折り返し形成して成る折り返し形状部であり、前記挟持部は、前記被挟持部の上下面部のうち一方の面部に当接させる第一半体と、この第一半体に枢着され前記被挟持部の上下面部のうち他方の面部に当接させる第二半体とで構成され、前記第一半体には前記操作ハンドル部が設けられると共に、前記第二半体には前記支点部が設けられていることを特徴とする請求項１〜４のいずれか１項に記載の屋根の葺板引き剥がし具。
【請求項６】
前記第二半体は平面視コ字状体であり、この第二半体の左右対向壁部の下端縁部を凸型円弧形状として前記支点部は設けられており、前記挟持部で前記被挟持部を挟持したまま前記操作ハンドル部を回動操作すると、前記支点部は転動して当接位置が移動するように構成されていることを特徴とする請求項５記載の葺板引き剥がし具。
【請求項７】
前記第一半体に前記被挟持部の下面部に当接させる第一当接部が設けられ、前記第二半体に前記被挟持部の上面部に当接させる第二当接部が設けられ、前記第一当接部は前記第二当接部より巾広に設けられていることを特徴とする請求項５，６のいずれか１項に記載の屋根の葺板引き剥がし具。
【発明の詳細な説明】
【技術分野】
【０００１】
本発明は、屋根の葺板引き剥がし具に関するものである。
【背景技術】
【０００２】
横葺屋根や縦葺屋根の葺板（屋根板）は、長期使用により老朽化すると、雨漏りなどの不具合が生じる恐れがあるため、適当な時期に改修（葺替え）を行うことが望ましい。
【０００３】
この屋根板の葺替えにあたっては、葺板を野地板から全部引き剥がして取り去るが、この葺板引き剥がし作業は手作業によるものであるために多大な労力と費用を要し、また時間もかかる非常に厄介な作業であった。
【０００４】
そこで、本出願人は、特許第３７８９８８６号に開示される屋根の葺板引き剥がし具（以下、従来例）を提案している。
【０００５】
この従来例は、横葺屋根用の横葺板の、棟側に折り返し形成して成る被挟持部（折り返し形状部）を挟持する挟持部を設け、この挟持部を挟持開閉操作する操作ハンドル部を設け、この挟持部に支点部を設けて、この支点部を支点に操作ハンドル部を可倒し得るように構成すると共に、挟持部で前記横葺板の被挟持部を挟持したまま操作ハンドル部を倒すと、この支点部を支点としたテコ作用により挟持部が起動し、この被挟持部から横葺板が屋根下地材に対して引き剥がされるように構成したものである。
【０００６】
この従来例であれば、単に操作ハンドル部を操作して挟持部で横葺板の被挟持部を挟持し、そのまま操作ハンドル部を倒すだけの作業で横葺板を引き剥がすことができるため、この横葺板の除去作業が容易にしかも安全に行われることになる。
【先行技術文献】
【特許文献】
【０００７】
【特許文献１】特許第３７８９８８６号公報
【発明の概要】
【発明が解決しようとする課題】
【０００８】
本発明は、前述した屋根の葺板引き剥がし具について更なる研究開発を進めた結果、葺板の引き剥がし作業を容易化できる実用性に秀れた屋根の葺板引き剥がし具を開発した。
【課題を解決するための手段】
【０００９】
添付図面を参照して本発明の要旨を説明する。
【００１０】
屋根51の葺板52に設けられる被挟持部52ａを挟持する挟持部１に、該挟持部１を操作する操作ハンドル部２が取り付けられた屋根の葺板引き剥がし具であって、前記挟持部１には支点部５が設けられて、この支点部５を支点に前記操作ハンドル部２を回動操作し得るように構成されると共に、前記挟持部１で前記被挟持部52ａを挟持したまま前記操作ハンドル部２を回動操作すると、前記支点部５を支点としたテコ作用により前記挟持部１が起動し、前記被挟持部52ａから前記葺板52が屋根下地材51ａに対して引き剥がされるように構成されており、前記操作ハンドル部２は、回動操作方向における前記挟持部１に対する取付角度が可変可能に設けられて、前記被挟持部52ａを挟持させた前記挟持部１の起動前における、前記屋根51に対して棟側へ所定角度に倒れた一の状態と、その他の状態とが切り替え可能に構成されていることを特徴とする屋根の葺板引き剥がし具に係るものである。
【００１１】
また、前記操作ハンドル部２は、前記被挟持部52ａを挟持させた前記挟持部１の起動前における、前記屋根51に対して棟側へ所定角度に倒伏した倒伏状態と、該倒伏状態から軒先側への回動操作方向に起立した起立状態とが切り替え可能に構成されていることを特徴とする請求項１記載の屋根の葺板引き剥がし具に係るものである。
【００１２】
また、前記被挟持部52ａを挟持させた前記挟持部１の起動前における前記操作ハンドル部２の倒伏状態は、前記屋根51の面方向と直交し且つ前記被挟持部52ａを挟持させた前記挟持部１の挟持作用点Ｘを通過する直交線Ｌよりも棟側に傾いた倒伏状態であり、前記被挟持部52ａを挟持させた前記挟持部１の起動前における前記操作ハンドル部２の起立状態は、前記屋根51の面方向と直交し且つ前記被挟持部52ａを挟持させた前記挟持部１の挟持作用点Ｘを通過する直交線Ｌよりも軒先側に傾いた起立状態であることを特徴とする請求項２記載の屋根の葺板引き剥がし具に係るものである。
【００１３】
また、前記操作ハンドル部２は、前記挟持部１に擺動自在に設けられ、前記挟持部１に対する所定の回動位置にて前記操作ハンドル部２が回動阻止される回動固定部６が前記挟持部１に設けられて、回動操作方向における前記挟持部１に対する取付角度が可変可能に設けられていることを特徴とする請求項１〜３のいずれか１項に記載の屋根の葺板引き剥がし具に係るものである。
【００１４】
また、前記被挟持部52ａは前記葺板52を折り返し形成して成る折り返し形状部であり、前記挟持部１は、前記被挟持部52ａの上下面部のうち一方の面部に当接させる第一半体３と、この第一半体３に枢着され前記被挟持部52ａの上下面部のうち他方の面部に当接させる第二半体４とで構成され、前記第一半体３には前記操作ハンドル部２が設けられると共に、前記第二半体４には前記支点部５が設けられていることを特徴とする請求項１〜４のいずれか１項に記載の屋根の葺板引き剥がし具に係るものである。
【００１５】
また、前記第二半体４は平面視コ字状体であり、この第二半体４の左右対向壁部４ａ，４ｂの下端縁部を凸型円弧形状として前記支点部５は設けられており、前記挟持部１で前記被挟持部52ａを挟持したまま前記操作ハンドル部２を回動操作すると、前記支点部５は転動して当接位置が移動するように構成されていることを特徴とする請求項５記載の葺板引き剥がし具に係るものである。
【００１６】
また、前記第一半体３に前記被挟持部52ａの下面部に当接させる第一当接部３Ｂが設けられ、前記第二半体４に前記被挟持部52ａの上面部に当接させる第二当接部４Ｂが設けられ、前記第一当接部３Ｂは前記第二当接部４Ｂより巾広に設けられていることを特徴とする請求項５，６のいずれか１項に記載の屋根の葺板引き剥がし具に係るものである。
【発明の効果】
【００１７】
本発明は上述のように構成したから、前述した従来例と同様、単に操作ハンドル部を回動操作するだけの作業で葺板を簡単に引き剥がすことができるため、葺板の除去作業が簡易且つ安全に行われることになり、しかも、屋根の棟付近での作業は勿論、例えば軒先付近での作業も安全に行えることになるなど、極めて実用性に秀れた画期的な屋根の葺板引き剥がし具となる。
【図面の簡単な説明】
【００１８】
【図１】本実施例を示す斜視図である。
【図２】本実施例の要部の分解斜視図である。
【図３】本実施例の要部の説明平面図である。
【図４】本実施例の要部の説明断面図である。
【図５】本実施例の要部の動作説明図である。
【図６】本実施例の使用状態説明図である。
【図７】本実施例の使用状態説明図である。
【図８】本実施例の使用状態説明図である。
【図９】本実施例の使用状態説明図である。
【図１０】本実施例の使用状態説明図である。
【図１１】本実施例の使用状態説明図である。
【図１２】本実施例の使用状態説明図である。
【図１３】本実施例の使用状態説明図である。
【図１４】本実施例の使用状態説明図である。
【図１５】本実施例の使用状態説明図である。
【発明を実施するための形態】
【００１９】
好適と考える本発明の実施形態（発明をどのように実施するか）を、図面に基づいて本発明の作用を示して簡単に説明する。
【００２０】
先ず、屋根51の葺板52の被挟持部52ａを挟持部１で挟持する。
【００２１】
続いて、支点部５を支点にして操作ハンドル部２を回動操作すると、この支点部５を支点としたテコ作用により挟持部１が起動し、この被挟持部52ａから葺板52が屋根下地材に対して引き剥がされる。
【００２２】
また、この際、挟持部１が葺板52の被挟持部52ａを挟持しているため、操作ハンドル部２を回動操作した際に挟持部１から被挟持部52ａが抜け外れてしまうようなことがなく、これにより本引き剥がし具が被挟持部52ａから不意に外れることで作業者が屋根51上でバランスを崩したり、本引き剥がし具と共に屋根51上から落下したりするようなことがなく、安全に作業を行うことができる。
【００２３】
従って、単に操作ハンドル部２を回動操作して挟持部１で葺板52の被挟持部52ａを挟持し、そのまま操作ハンドル部２を倒すだけの作業で葺板52を引き剥がすことができるため、この葺板52の除去作業が簡易に且つ安全に行えることになる。
【００２４】
ところで、本発明は、操作ハンドル部２は、回動操作方向における挟持部１に対する取付角度が可変可能に設けられて、被挟持部52ａを挟持させた挟持部１の起動前における、屋根51に対して棟側へ所定角度に倒れた一の状態と、その他の状態とが切り替え可能に構成されており、この構成から、葺板52の除去作業がより一層簡易に且つ安全に行えることになる。
【００２５】
即ち、通常、この種の引き剥がし具は、作業者は引き剥がそうとする葺板52の下方側位置（軒先側位置）にて棟側を向いて作業する場合が多い為、挟持部に対する操作ハンドル部の取付角度はこの棟側を向いた作業に適した角度（操作ハンドル部が軒先側に倒れた状態）に設定されているが、その構造上、そのまま作業者が引き剥がそうとする葺板52の上方位置（棟側位置）にて軒先側を向いて作業する場合、つまり、軒先付近の葺板を引き剥がそうとする場合には、前述したように操作ハンドル部は軒先側に倒れた状態の為、この操作ハンドル部を持とうとすると作業者は軒先側に身を乗り出したような状態とならなければならず、作業者の安全性が危惧され、しかも、高所故に恐怖心を伴い作業が慎重にならざるを得ず作業能率が悪くなってしまう。
【００２６】
この点、本発明は、前述した構成から、操作ハンドル部２の取付角度を適宜可変して、例えば軒先側位置での作業に適した状態（屋根51に対して棟側へ所定角度に倒れた状態）とすることで作業が行えることになる為、なるべく軒先に近付かない位置での作業が行えることになり、よって、屋根51の棟付近での引き剥がし作業は勿論、例えば軒先付近での作業も簡易且つ安全に引き剥がし作業が良好に行えることになる。
【実施例】
【００２７】
本発明の具体的な実施例について図面に基づいて説明する。
【００２８】
本実施例は、屋根51の葺板52に設けられる被挟持部52ａを挟持する挟持部１に、該挟持部１を操作する操作ハンドル部２が取り付けられた屋根の葺板引き剥がし具であって、挟持部１には支点部５が設けられて、この支点部５を支点に操作ハンドル部２を回動操作し得るように構成されると共に、挟持部１で葺板52の被挟持部52ａを挟持したまま操作ハンドル部２を回動操作すると、支点部５を支点としたテコ作用により挟持部１が起動し、被挟持部52ａから葺板52が屋根下地材51ａに対して引き剥がされるように構成されている。
【００２９】
尚、葺板52とは、横葺板、縦葺板、瓦棒葺板などを意味し、被挟持部52ａは、例えば葺板52を折り返し形成して成る折り返し形状部（連結用折曲部）である。
【００３０】
具体的には、挟持部１は、被挟持部52ａの上下面部のうち一方の面部（下面部）に当接させる第一半体３と、この第一半体３に交叉枢着され被挟持部52ａの上下面部のうち他方の面部（上面部）に当接させる第二半体４とで構成され、第一半体３には操作ハンドル部２が設けられると共に、第二半体４には支点部５が設けられて、この支点部５を支点に操作ハンドル部２を回動操作し得るように構成されると共に、挟持部１で葺板52の被挟持部52ａを挟持係止したまま操作ハンドル部２を回動操作すると、支点部５を支点としたテコ作用により挟持部１が起動し、被挟持部52ａから葺板52が屋根下地材51ａに対して引き剥がされるように構成されている。
【００３１】
以下、本実施例に係る構成各部について詳細な説明をする。
【００３２】
操作ハンドル部２は、図１〜４に図示したように適宜な金属製の部材で形成した正面視Ｙ字形状体であり、上端部には作業する際の力点部としての棒材から成る握持部２ａが横設され、下端部には後述する挟持部１（第一半体３）と重合状態で枢着連結するための枢着連結孔２ｂが設けられている。
【００３３】
握持部２ａは、操作ハンドル部２の長さ方向と直交する横方向に長さを有する状態で設けられ、後述する第一当接部３Ｂ及び第二当接部Ｂと平行状態に設けられている。
【００３４】
この握持部２ａの向きが横方向に設けられることで、挟持部１で挟持した状態で葺板52を剥がす際に力が入れ易いことを確認している。
【００３５】
また、この枢着連結孔２ｂの下方位置には、後述する挟持部１（第一半体３）との間で回動固定部６の回動固定部材６ａを貫挿し得る一つの孔部２ｃが設けられている。
【００３６】
第一半体３は、図１〜４に図示ししたように適宜な金属製の部材で形成したものであり、操作ハンドル部２の下端部に挟持重合状態で枢着連結する左右一対の板状体３ａ，３ｂから成る連結部３Ａと、この連結部３Ａの下端部に設けられる板状の第一当接部３Ｂ（可動板部）とで構成されている。
【００３７】
この連結部３Ａには、操作ハンドル部２の枢着連結孔２ｂと合致させて枢着軸部材15を介して連結する枢着軸連結孔３ａ’，３ｂ’が設けられている。
【００３８】
従って、操作ハンドル部２は挟持部１に対して回動自在（擺動自在）となる。
【００３９】
また、連結部３Ａ（板状体３ａ，３ｂ夫々）には、操作ハンドル部２の孔部２ｃと合致する孔部３ａ”，３ｂ”が操作ハンドル部２の回動方向となる前後位置に複数箇所（二箇所）設けられている。この孔部３ａ”は後述する回動固定部材６ａ（ネジ杆）を螺着し得る螺子孔である。
【００４０】
この各孔部３ａ”，３ｂ”は、回動固定部材６ａを貫挿し得るように構成されており、操作ハンドル部２の孔部２ｃをこの孔部３ａ”，３ｂ”に合致させ、この合致孔に回動固定部材６ａを貫挿させつつ孔部３ａ”に螺着させることで、第一半体３に対する操作ハンドル部２の回動が阻止される。これが回動固定部６である。
【００４１】
また、操作ハンドル２を所定角度回動させて該操作ハンドル部２の孔部２ｃを前後位置の孔部３ａ”，３ｂ”を選択して合致させて回動固定部材６ａで固定する。
【００４２】
この構成から、操作ハンドル部２は、回動操作方向における挟持部１に対する取付角度が可変可能に設けられて、被挟持部52ａを挟持させた挟持部１の起動前における、屋根51に対して棟51Ａ側へ所定角度に倒伏した倒伏状態と、該倒伏状態から軒先51Ｂ側への回動操作方向に起立した起立状態とが切り替え可能に構成されている。
【００４３】
即ち、この孔部３ａ”，３ｂ”の位置は、作業者が屋根51の棟51Ａ側を向いて引き剥がし作業が行い易い角度（前述したその他の状態）と、作業者が屋根51の軒先51Ｂ側を向いて引き剥がし作業が行い易い角度（前述した一の状態）とに操作ハンドル部２が固定される位置に設けられており、更に付言すれば、被挟持部52ａを挟持させた挟持部１の起動前における操作ハンドル部２の倒伏状態は、屋根51の面方向と直交し且つ被挟持部52ａを挟持させた挟持部１の挟持作用点Ｘを通過する直交線Ｌよりも棟51Ａ側に傾いた倒伏状態（図14に示すように力点としての握持部２ａが直交線Ｌよりも棟51Ａ側に位置する状態）であり、被挟持部52ａを挟持させた挟持部１の起動前における操作ハンドル部２の起立状態は、屋根51の面方向と直交し且つ被挟持部52ａを挟持させた挟持部１の挟持作用点Ｘを通過する直交線Ｌよりも軒先51Ｂ側に傾いた起立状態（図９に示すように力点としての握柄部２ａが直交線Ｌよりも軒先51Ｂ側に位置する状態）である。
【００４４】
また、連結部３Ａの下端部には、後述する第二半体４の枢着軸連結孔４ａ’，４ｂ’と合致させて枢着軸部材16を介して連結する枢着軸連結孔３ｃが設けられている。
【００４５】
従って、第一半体３と第二半体４とは交差状態に回動自在に連結され、この第一半体３と第二半体４の回動に伴い後述する第一当接部３Ｂと第二当接部４Ｂとは挟持開閉自在となる。
【００４６】
第一当接部３Ｂは、先端部が先細り形状に形成されており、挟持部１で被挟持部52ａを挟持する際、被挟持部52ａの下面部側に挿し込まれて該下面部に当接するように構成されている。
【００４７】
また、図３に図示したように第一当接部３Ｂの巾Ｗ１は後述する第二当接部４Ｂの巾Ｗ２より巾広に設けられており、更に、第一当接部３Ｂの当接面には葺板52と見分けがつきやすい異なる色（例えば白色）が施されている。
【００４８】
これは、被挟持部52の下面部に広い面積で当接させることで安定的な挟持状態が得られるのは勿論、作業者から見て葺板52が挟持部１で挟持されたことが分かり易くする為の構成である。
【００４９】
第二半体４は、図１〜４に図示したように適宜な金属製の部材を平面視コ字状に折り曲げ形成して構成され、この第二半体４の左右対向壁部４ａ，４ｂ同士間は第一半体３の連結部３Ａに被嵌する被嵌部４Ａに設定され、この被嵌部４Ａの先端部にして第一当接部３Ｂと対向する位置に被挟持部25ａの上面部に当接する第二当接部４Ｂ（受け板部）が設けられている。
【００５０】
また、左右対向壁部４ａ，４ｂ夫々の中央部位には枢着軸部材16を貫挿する枢着軸連結孔４ａ’，４ｂ’が設けられており、この第一半体３と第二半体４との枢着部よりも先端側部位に第一当接部３Ｂと第二当接部４Ｂとが位置するように設けられている。
【００５１】
また、第二半体４の左右対向壁部４ａ，４ｂの下端縁部にして第一半体３との枢着部よりも基端側部位を凸型円弧形状に形成して支点部５が設けられている。
【００５２】
従って、支点部５は、大きな円弧である為、図９，図10，図14，図15に図示したように挟持部１で被挟持部52ａを挟持したまま操作ハンドル部２を回動操作すると、支点部５は転動して当接位置が移動（当接位置Ｐ１から当接位置Ｐ２へ移動）することになる。
【００５３】
また、第二半体４の基端部には、第一当接部３Ｂに対して第二当接部４Ｂが常時開放する方向に作用する重り部７が設けられている。
【００５４】
従って、第一当接部３Ｂに対して第二当接部４Ｂが常時開放した状態であるから、被挟持部25ａに対して挟持部１を良好に挟持させることができる。
【００５５】
また、この重り部７は左右方向に長さを有し、挟持部１で被挟持部52ａを強く挟持して葺板52を剥がした後に第二半体３が戻らなくなった場合、この重り部７を足で踏んで強制的に開放するようにすることができる。
【００５６】
以上の構成から成る本実施例に係る屋根の葺板引き剥がし具の使用方法について説明する。尚、本実施例では、横葺屋根の葺板１（横葺板）を引き剥がす場合で説明しているが、縦葺屋根の葺板１（縦葺板や瓦棒葺板）を引き剥がす際にも使用することができる（被挟持部25ａを有する屋根材であれば適宜使用できる。）。
【００５７】
屋根51の棟51Ａ側を向いて作業する場合、操作ハンドル部２を、回動操作方向における挟持部１に対する取付角度が屋根51の棟51Ａ側を向いて引き剥がし作業が行い易い角度となる状態とし、この状態で、図６〜10に図示したように、先ず、屋根51の葺板52の被挟持部52ａを挟持部１で挟持する。
【００５８】
続いて、支点部５を支点にして操作ハンドル部２を回動操作すると、この支点部５を支点としたテコ作用により挟持部１が起動し、この被挟持部52ａから葺板52が屋根下地材51ａに対して引き剥がされる。
【００５９】
一方、屋根51の軒先51Ｂ側を向いて作業する場合、操作ハンドル部２を、回動操作方向における挟持部１に対する取付角度が屋根51の軒先51Ｂ側を向いて引き剥がし作業が行い易い角度となる状態とし、この状態で、図11〜15に図示したように引き剥がし作業を行う。
【００６０】
この際、操作ハンドル部２は、軒先51Ｂ側位置での作業に適した状態（屋根51に対して棟51Ａ側へ所定角度に倒れた状態）である為、なるべく軒先51Ｂに近付かない位置での作業が行えることになり、よって、軒先51Ｂ付近での作業も簡易且つ安全に引き剥がし作業が良好に行えることになる。
【００６１】
本発明は、本実施例に限られるものではなく、各構成要件の具体的構成は適宜設計し得るものである。
【符号の説明】
【００６２】
Ｌ  直交線
Ｘ  挟持作用点
１  挟持部
２  操作ハンドル部
３  第一半体
３Ｂ  第一当接部
４  第二半体
４Ｂ  第二当接部
５  支点部
６  回動固定部
51  屋根
52  葺板
52ａ  被挟持部
【図１】
2018035586.tif 000003
【図２】
2018035586.tif 000004
【図３】
2018035586.tif 000005
【図４】
2018035586.tif 000006
【図５】
2018035586.tif 000007
【図６】
2018035586.tif 000008
【図７】
2018035586.tif 000009
【図８】
2018035586.tif 000010
【図９】
2018035586.tif 000011
【図１０】
2018035586.tif 000012
【図１１】
2018035586.tif 000013
【図１２】
2018035586.tif 000014
【図１３】
2018035586.tif 000015
【図１４】
2018035586.tif 000016
【図１５】
2018035586.tif 000017